(57)【要約】【課題】  ペダルを備えた鍵盤楽器の周辺の清掃を容易に行うことができるようにする。【解決手段】  本電子ピアノ１００は、支持板１１０Ｒ，１１０Ｌによって支持された鍵盤ユニット１２０及びペダルユニット１３０を備えており、ペダルユニット１３０が、演奏者を基準とした場合に左右方向となる水平方向の軸線Ｘを中心として回転移動可能に構成されている。そして、演奏を行う場合には、各支持板１１０Ｒ，１１０Ｌの内側面下端位置に設けられた底部ストッパ１４０Ｒ，１４０Ｌの上面にペダルユニット１３０の下面を当接させる（ａ）。一方、ペダル１３２，１３３，１３４周辺の清掃を行う場合には、ペダルユニット１３０を重力に逆らい上方（矢印Ｙ）へ持ち上げ（ｂ）、支持板１１０Ｒ，１１０Ｌに両端が固定された前部ストッパ１５０に当接する位置まで回転移動させることにより、ペダル１３２，１３３，１３４を収納する（ｃ）。【選択図】  図２
2007047689.tif 000002
【特許請求の範囲】
【請求項１】
演奏のための操作が行われるペダルを備えた鍵盤楽器において、
前記ペダルは、演奏のための操作が行われる演奏位置から、その演奏位置とは異なる収納位置へ、移動可能に構成されていること
を特徴とする鍵盤楽器。
【請求項２】
前記ペダルは、前記演奏位置から前記収納位置へ回転移動により移動可能に構成されていること
を特徴とする請求項１に記載の鍵盤楽器。
【請求項３】
前記ペダルは、演奏者を基準とした場合に左右方向となる水平方向の回転軸を中心とした回転移動により移動可能に構成されていること
を特徴とする請求項２に記載の鍵盤楽器。
【請求項４】
前記ペダルは、前記演奏位置から前記収納位置へスライド移動により移動可能に構成されていること
を特徴とする請求項１に記載の鍵盤楽器。
【請求項５】
前記ペダルは、演奏者を基準とした場合に前後方向となる水平方向に沿ってスライド移動により移動可能に構成されていること
を特徴とする請求項４に記載の鍵盤楽器。
【発明の詳細な説明】
【技術分野】
【０００１】
本発明は、ペダルを備えた鍵盤楽器に関するものである。
【背景技術】
【０００２】
従来、手（指）による演奏操作を行うための鍵盤ユニットに加え、足による演奏操作を行うためのペダルを備えた鍵盤楽器が知られている。例えば、電子ピアノの場合、出力された楽音の減衰時間を変化させるためのダンパペダルを備えている。また、例えば、電子オルガンの場合、楽音の高さ（周波数）や出力するタイミング等を指定するためのペダルを複数有した足鍵盤を備えている。一般に、こうしたペダルは、鍵盤楽器本体（鍵盤ユニットやそれを支持する支持部材等からなる鍵盤楽器の主要部）と一体的に構成されている。
【０００３】
なお、ペダルを有するペダルユニットを鍵盤楽器本体とは別体で構成したものも存在するが（特許文献１参照）、このような鍵盤楽器では、鍵盤ユニットに対するペダルユニットの位置が固定されていないため、ペダルユニットの設置位置を調整する必要があり、設置作業に手間がかかる。こうした理由から、ペダルが鍵盤楽器本体と一体的に構成された鍵盤楽器が好まれる傾向にある。
【特許文献１】特開平５−８８６７２号公報
【発明の開示】
【発明が解決しようとする課題】
【０００４】
しかしながら、ペダルが鍵盤楽器本体と一体的に構成された鍵盤楽器は、鍵盤楽器本体の下部位置においてペダルが演奏者側へ突出した状態で配置されているため、ペダルが妨げとなってその周辺の清掃が行いにくく、ペダルの周辺（複数並設されたペダル同士の間や、ペダルと床との間など）にほこり等がたまりやすいという問題があった。なお、鍵盤楽器自体を移動させれば清掃が行いやすくはなるものの、こうした鍵盤楽器は大型のものが多く質量も大きいため、容易に移動させることができないのが通常である。
【０００５】
本発明は、こうした問題にかんがみてなされたものであり、ペダルを備えた鍵盤楽器の周辺の清掃を容易に行うことができるようにすることを目的としている。
【課題を解決するための手段】
【０００６】
上記目的を達成するためになされた本発明の請求項１に記載の鍵盤楽器は、演奏のための操作が行われるペダルを備えたものである。そして、本鍵盤楽器において、ペダルは、演奏のための操作が行われる演奏位置から、その演奏位置とは異なる収納位置へ、移動可能に構成されている。
【０００７】
このような構成の鍵盤楽器によれば、ペダルを演奏位置から収納位置へ移動させることによって、鍵盤楽器自体を移動させることなくペダル周辺の清掃を容易に行うことができる。
【０００８】
具体的には、例えば請求項２に記載のように、ペダルを演奏位置から収納位置へ回転移動により移動可能に構成するとよい。このような構成の鍵盤楽器によれば、ペダルの移動を簡素な機構（例えば回転軸及び軸受を備えた機構）によって実現することができる。なお、ここで言う回転移動とは、あらかじめ定められた回転中心に対して距離的な関係を維持した移動のことである。
【０００９】
そして、回転移動としては、例えば、鉛直方向（演奏者を基準とした上下方向）の回転軸を中心とした回転移動が考えられる。ただし、このように構成した場合、演奏者を基準とした左右方向に沿ってペダルが多数配列されている鍵盤楽器でこれらのペダル群を一体的に回転移動させようとすると、ペダル群のユニットが回転移動するための空間を演奏者を基準とした前後方向に大きく確保する必要が生じる。
【００１０】
そこで、請求項３に記載の鍵盤楽器では、上記請求項２に記載の鍵盤楽器において、ペダルが、演奏者を基準とした場合に左右方向となる水平方向の回転軸を中心とした回転移動により移動可能に構成されている。このような構成の鍵盤楽器によれば、左右方向に沿ってペダルが多数配列されている鍵盤楽器においても、ペダルが回転移動するための空間を大きく確保する必要がない。
【００１１】
一方、こうした回転移動に限ったものではなく、例えば請求項４に記載のように、ペダルを演奏位置から収納位置へスライド移動により移動可能に構成してもよい。このような構成の鍵盤楽器によれば、ペダルを移動させるために必要となる空間を小さくすることができる。なお、ここで言うスライド移動とは、あらかじめ定められた方向（直線方向に限らず、曲線方向などでもよい。）に沿った移動のことである。
【００１２】
そして、スライド移動としては、例えば鉛直方向（演奏者を基準とした上下方向）に沿ったスライド移動が考えられる。ただし、このように構成した場合、例えば電子オルガンの足鍵盤のようにペダルの質量が大きい場合には容易に移動させることができなくなってしまう。
【００１３】
そこで、請求項５に記載の鍵盤楽器では、上記請求項４に記載の鍵盤楽器において、ペダルが、演奏者を基準とした場合に前後方向となる水平方向に沿ってスライド移動により移動可能に構成されている。このような構成の鍵盤楽器によれば、ペダルを上方へ持ち上げる必要がないため、電子オルガンの足鍵盤のようにペダルの質量が大きい場合にも容易に移動させることができる。
【発明を実施するための最良の形態】
【００１４】
以下、本発明が適用された実施形態について、図面を用いて説明する。
［第１実施形態］
図１は、第１実施形態の鍵盤楽器としての電子ピアノ１００の外観図である。
【００１５】
同図に示すように、この電子ピアノ１００は、支持板１１０Ｒ，１１０Ｌと、鍵盤ユニット１２０と、ペダルユニット１３０とが一体的に構成されたものである。なお、以下の説明では、便宜上、本電子ピアノ１００を演奏する演奏者（図示せず）を想定し、その演奏者を基準として、上下、前後及び左右の方向を表現する。
【００１６】
支持板１１０Ｒ，１１０Ｌは、上下方向に長い長方形の上部及び下部が演奏者側（後方）へ延長された全体として略コの字状の板材であり、本電子ピアノ１００における左右両側面に立設されている。そして、支持板１１０Ｒ，１１０Ｌは、上部位置において、鍵盤ユニット１２０をその両側面から支持するとともに、下部位置において、ペダルユニット１３０をその両側面から支持している。これにより、鍵盤ユニット１２０とペダルユニット１３０とが鉛直方向上下位置に並設されている。
【００１７】
鍵盤ユニット１２０は、本電子ピアノ１００が出力する楽音の高さ（周波数）及び出力するタイミング等を指定するための押し操作が行われる複数の鍵１２１，１２１，…を備えている。つまり、各鍵１２１にはそれぞれ異なった高さの楽音（例えば、Ａ〜Ｇを表す楽音）があらかじめ対応づけられており、鍵１２１を押すことによって対応する楽音が出力される。
【００１８】
ペダルユニット１３０は、左右方向に長い直方体箱状のペダルユニット本体１３１と、このペダルユニット本体１３１における１つの面の中央部から突出した３つのペダル（ダンパペダル１３２、ソステヌートペダル１３３及びソフトペダル１３４）とを備えている。そして、ペダルユニット１３０は、本電子ピアノ１００の下部位置において各ペダル１３２，１３３，１３４が演奏者側へ突出する向きに配置されている。
【００１９】
ここで、ダンパペダル１３２は、本電子ピアノ１００が出力する楽音の減衰時間を変化させるための踏み操作が行われるペダルであり、踏み操作開始後に本電子ピアノ１００が出力する楽音の減衰時間（余韻）を変化させる。
【００２０】
また、ソステヌートペダル１３３は、ダンパペダル１３２と同様、本電子ピアノ１００が出力する楽音の減衰時間を変化させるための踏み操作が行われるペダルであるが、踏み操作開始前に本電子ピアノ１００が出力した楽音の減衰時間を変化させる点が異なる。
【００２１】
また、ソフトペダル１３４は、本電子ピアノ１００が出力する楽音の音量及び音色（例えば楽音に含まれる倍音成分）を変化させるための踏み操作が行われるペダルである。
なお、図示しないが、本実施形態の電子ピアノ１００は、鍵盤ユニット１２０及びペダルユニット１３０で行われた演奏操作に基づき楽音を生成する音源用電子回路や、音源用電子回路によって生成された楽音を出力するスピーカ等を備えている。
【００２２】
ところで、このようにペダル１３２，１３３，１３４が演奏者側へ突出した形状の鍵盤楽器は、その周辺の清掃を行う場合にペダル１３２，１３３，１３４が清掃の妨げとなる。
【００２３】
そこで、本第１実施形態の電子ピアノ１００は、演奏者を基準とした場合に左右方向となる水平方向の回転軸を中心としてペダルユニット１３０を回転移動させることにより、ペダル１３２，１３３，１３４を収納可能に構成されている。
【００２４】
すなわち、本電子ピアノ１００において、ペダルユニット本体１３１の左右両側面には、ペダル１３２，１３３，１３４の突出面から離れた側の位置に、左右方向（水平方向）に沿った軸線Ｘを中心線とする円柱状の突起部（図示せず）がそれぞれ（各側面に１つずつ）形成されている。
【００２５】
一方、各支持板１１０Ｒ，１１０Ｌにおけるペダルユニット１３０の突起部と対向する位置には、突起部が挿入されることにより軸受として機能する貫通孔１１１Ｒ，１１１Ｌがそれぞれ形成されている（貫通孔１１１Ｌは図示せず）。
【００２６】
さらに、各支持板１１０Ｒ，１１０Ｌの内側面（互いに対向する側の面）における下端位置には、ペダルユニット１３０の下面と当接することによってそのペダルユニット１３０の下方への回転移動可能範囲を制限する長方形板状の底部ストッパ１４０Ｒ，１４０Ｌがそれぞれ設けられている（図２（ｂ），（ｃ）参照）。この底部ストッパ１４０Ｒ，１４０Ｌは、ペダルユニット１３０が上面に当接している状態で、ペダル１３２，１３３，１３４が水平方向となる位置（演奏位置）に保たれるような高さに設計されている（図１、図２（ａ）参照）。
【００２７】
加えて、支持板１１０Ｒ，１１０Ｌの演奏者側とは反対側の面における上下方向略中央位置には、各支持板１１０Ｒ，１１０Ｌに両端が支持されることにより水平方向に固定され、ペダルユニット１３０が演奏位置に対して上方向へ回転された場合にその上面と当接することによって、そのペダルユニット１３０の上方への回転移動可能範囲を制限する棒状の前部ストッパ１５０が設けられている。この前部ストッパ１５０は、ペダル１３２，１３３，１３４が演奏位置に配置されている状態から、ペダルユニット１３０を上方へ９０度よりも大きく（例えば１００度）回転移動させた位置でペダルユニット１３０と当接するような位置に設けられている。
【００２８】
このように構成された本第１実施形態の電子ピアノ１００では、演奏を行う場合には、ペダルユニット１３０を底部ストッパ１４０Ｒ，１４０Ｌの上面に当接させる（図２（ａ））。この状態において、ペダルユニット１３０にはその自重によりペダル１３２，１３３，１３４を下方へ移動させる向きに回転移動しようとする力が加わるが、底部ストッパ１４０Ｒ，１４０Ｌによりその回転移動が制限される。この結果、ペダル１３２，１３３，１３４が演奏位置に維持され、演奏操作が可能となる。
【００２９】
一方、ペダル１３２，１３３，１３４周辺の清掃を行う場合には、ペダルユニット１３０におけるペダル１３２，１３３，１３４突出側を重力に逆らい上方（矢印Ｙ）へ持ち上げる（図２（ｂ））。
【００３０】
そして、ペダルユニット１３０を、軸線Ｘを中心としてそのまま回転移動させることにより、前部ストッパ１５０に当接させる（図２（ｃ））。この状態において、ペダルユニット１３０にはその自重によりペダル１３２，１３３，１３４を演奏者側から離れる向きに回転移動しようとする力が加わるが、前部ストッパ１５０によりその回転移動が制限される。この結果、ペダル１３２，１３３，１３４が鍵盤ユニット１２０下部の収納位置に収納された状態で維持される。
【００３１】
以上説明したように、本第１実施形態の電子ピアノ１００によれば、清掃を行う場合にはペダル１３２，１３３，１３４を演奏位置（図２（ａ））から収納位置（図２（ｃ））へ移動させることによって、電子ピアノ１００自体を移動させることなくペダル１３２，１３３，１３４の周辺の清掃を容易に行うことができる。また、本電子ピアノ１００では、ペダル１３２，１３３，１３４が鍵盤楽器本体と一体的に構成されているため、ペダル１３２，１３３，１３４を演奏位置へ移動させた状態での鍵盤ユニット１２０との位置関係が常に一定となり、ペダル１３２，１３３，１３４の設置位置の調整に手間がかからない。しかも、本電子ピアノ１００は、ペダル１３２，１３３，１３４を備えた箱体であるペダルユニット１３０自体を回転移動させる構成のため、ペダルユニット１３０の下方の清掃も行いやすくすることができる。
【００３２】
また、ペダルユニット１３０の回転移動は、ペダルユニット１３０の両側面に突起部を形成するとともに各支持板１１０Ｒ，１１０Ｌに貫通孔１１１Ｒ，１１１Ｌを形成するといった簡単な機構によって低コストで実現することができる。
【００３３】
さらに、本電子ピアノ１００では、ペダル１３２，１３３，１３４が、左右方向の軸線Ｘを中心として回転移動可能に構成されているため、ペダル１３２，１３３，１３４を電子ピアノ１００本体から大きくはみ出させることなく回転移動させることができる。特に、このような構成では、ペダルが左右方向に複数配列されていても回転軸に対する各ペダルの回転半径を等しくすることができるため、多数のペダルを備えた鍵盤楽器に有効である。
【００３４】
なお、本第１実施形態の電子ピアノ１００では、ペダルユニット１３０を演奏位置から９０°より大きく回転移動させた位置を収納位置とすることによって、ペダルユニット１３０が収納位置から演奏位置へ自重で戻ることを防止しているが、これ以外の構造も可能であることは言うまでもない。例えば、演奏位置から収納位置へのペダルユニット１３０の回転角度を９０°以下とした場合であっても、ペダルユニット１３０の収納位置から演奏位置への移動経路上にその回転移動を妨げるストッパを着脱可能に設けることによって、ペダルユニット１３０が収納位置から演奏位置へ戻らないようにすることができる。
【００３５】
一方、本第１実施形態の電子ピアノ１００では、ペダルユニット１３０が左右方向（水平方向）の回転軸である軸線Ｘを中心として回転移動するように構成されているが、これに限定されるものではなく、例えば、ペダルユニット１３０が鉛直方向の回転軸を中心として回転移動するように構成することも可能である。
【００３６】
また、ペダルユニット１３０を持ち上げるための操作部（ハンドルやレバー等）を、ペダルユニット１３０に設けてもよい。このようにすれば、持ち上げる作業を容易にすることが可能となる。特に、レバーの持ち手部分を回転軸から離して構成すれば、小さい力で容易にペダル１３２，１３３，１３４を移動させることができる。
【００３７】
［第２実施形態］
次に、第２実施形態の鍵盤楽器としての電子ピアノ２００について、図３及び図４を用いて説明する。なお、本第２実施形態の電子ピアノ２００において、上記第１実施形態の電子ピアノ１００と同じ構成要素については、同一の符号を付しているためその説明を省略する。
【００３８】
図３は、第２実施形態の電子ピアノ２００の外観図である。
同図に示すように、この電子ピアノ２００は、支持板２１０Ｒ，２１０Ｌと、ベース台２２０Ｒ，２２０Ｌと、鍵盤ユニット１２０と、ペダルユニット２３０とが一体的に構成されたものである。なお、以下の説明では、第１実施形態と同様、本電子ピアノ２００を演奏する演奏者（図示せず）を想定し、その演奏者を基準として、上下、前後及び左右の方向を表現する。
【００３９】
支持板２１０Ｒ，２１０Ｌは、基本的な構成は第１実施形態の支持板１１０Ｒ，１１０Ｌと同様であり、その側面に貫通孔１１１Ｒ，１１１Ｌが形成されていない点のみが異なる。そして、支持板２１０Ｒ，２１０Ｌは、上部位置において、鍵盤ユニット１２０をその両側面から支持している。また、各支持板２１０Ｒ，２１０Ｌは、その内側面における下部位置で、ベース台２２０Ｒ，２２０Ｌを支持している。
【００４０】
ベース台２２０Ｒ，２２０Ｌは、左右方向に長い直方体状の部材であり、支持板２１０Ｒ，２１０Ｌの各下部から内側へ延びるように配置され、本電子ピアノ２００における左右方向中央部で一定間隔を空けて互いに対向している。そして、この対向面で、ペダルユニット２３０をその両側面から支持している。これにより、鍵盤ユニット１２０とペダルユニット２３０とが鉛直方向上下位置に並設されている。
【００４１】
ペダルユニット２３０は、ベース台２２０Ｒ，２２０Ｌと比較して前後方向の寸法が小さく上下方向の寸法が等しい直方体箱状のペダルユニット本体２３１と、このペダルユニット本体２３１における１つの面の中央部から突出した３つのペダル（ダンパペダル１３２、ソステヌートペダル１３３及びソフトペダル１３４）とを備えている。そして、ペダルユニット２３０は、本電子ピアノ２００の下部位置において各ペダル１３２，１３３，１３４が演奏者側へ突出する向きに配置されている。
【００４２】
なお、本第２実施形態の電子ピアノ２００も、上記第１実施形態の電子ピアノ１００と同様に、図示しない音源用電子回路やスピーカ等を備えている。
そして、本第２実施形態の電子ピアノ２００は、ペダル１３２，１３３，１３４が清掃の妨げとなることを防ぐため、演奏者を基準とした場合に前後方向となる水平方向に沿ってペダルユニット２３０をスライド移動させることにより、ペダル１３２，１３３，１３４を収納可能に構成されている。
【００４３】
すなわち、本電子ピアノ２００において、各ベース台２２０Ｒ，２２０Ｌにおけるペダルユニット２３０との対向面には、前後方向（水平方向）に沿って延びるスライドレール２２１Ｒ，２２１Ｌがそれぞれ形成されている。
【００４４】
一方、ペダルユニット本体２３１の左右両側面には、各ベース台２２０Ｒ，２２０Ｌに形成されたスライドレール２２１Ｒ，２２１Ｌを上下方向から把持することによりペダルユニット２３０をベース台２２０Ｒ，２２０Ｌに対して前後方向にスライド移動可能とするスライド材２３２Ｒ，２３２Ｌがそれぞれ設けられている。
【００４５】
さらに、各スライドレール２２１Ｒ，２２１Ｌの前後方向両端位置には、スライド材２３２Ｒ，２３２Ｌのスライド移動可能範囲を制限する板状の前部レールエンド２４０Ｒ，２４０Ｌ及び後部レールエンド２５０Ｒ，２５０Ｌがそれぞれ設けられている。
【００４６】
このように構成された本第２実施形態の電子ピアノ２００では、演奏を行う場合には、ペダルユニット２３０のスライド材２３２Ｒ，２３２Ｌを後部レールエンド２５０Ｒ，２５０Ｌに当接させる（図４（ａ））。この結果、ペダルユニット本体２３１がベース台２２０Ｒ，２２０Ｌに比べて演奏者側に突出した状態となり、ペダル１３２，１３３，１３４が演奏操作に適した位置（演奏位置）に配置される。
【００４７】
一方、ペダル１３２，１３３，１３４周辺の清掃を行う場合には、ペダルユニット２３０を演奏者から離れる方向（矢印Ｚ）へ押してスライド移動させる（図４（ｂ））。
そして、ペダルユニット２３０をそのままスライド移動させることにより、スライド材２３２Ｒ，２３２Ｌを前部レールエンド２４０Ｒ，２４０Ｌに当接させる（図４（ｃ））。この結果、ペダル１３２，１３３，１３４がベース台２２０Ｒ，２２０Ｌの間に形成された空間内に収納される。
【００４８】
以上説明したように、本第２実施形態の電子ピアノ２００によれば、清掃を行う場合にはペダル１３２，１３３，１３４を演奏位置（図４（ａ））から収納位置（図４（ｃ））へ移動させることによって、電子ピアノ２００自体を移動させることなくペダル１３２，１３３，１３４の周辺の清掃を容易に行うことができる。また、本電子ピアノ２００では、ペダル１３２，１３３，１３４が鍵盤楽器本体と一体的に構成されているため、ペダル１３２，１３３，１３４を演奏位置へ移動させた状態での鍵盤ユニット１２０との位置関係が常に一定となり、ペダル１３２，１３３，１３４の設置位置の調整に手間がかからない。しかも、本電子ピアノ２００は、ペダル１３２，１３３，１３４を備えた箱体であるペダルユニット２３０自体をスライド移動させる構成のため、ペダルユニット２３０の下方の清掃も行いやすくすることができる。
【００４９】
また、本電子ピアノ２００では、ペダル１３２，１３３，１３４をスライド移動させるようにしているため、回転移動させる構成に比べ、ペダル１３２，１３３，１３４を移動させるために必要となる空間を小さくすることができる。
【００５０】
さらに、本電子ピアノ２００では、ペダル１３２，１３３，１３４を水平方向に沿ってスライド移動させるようにしているため、ペダルユニット２３０を上方へ持ち上げる必要がない。そのため、例えば電子オルガンの足鍵盤のように複数のペダルが一体に構成された質量の大きなものであっても容易に移動させることができる。
【００５１】
なお、本第２実施形態の電子ピアノ２００では、ペダルユニット２３０の位置を固定する構成を特に設けていないが、これに限ったものではない。例えば、ペダルユニット２３０の演奏位置から収納位置への移動経路上にそのスライド移動を妨げるストッパを着脱可能に設けることによって、ペダルユニット２３０を演奏位置に固定することが可能となる。このようにすれば、演奏中にペダルユニット２３０が移動してしまうことを確実に防ぐことができる。
【００５２】
また、本第２実施形態の電子ピアノ２００は、ペダルユニット２３０がその左右両側のベース台２２０Ｒ，２２０Ｌの各内側面に形成されたスライドレール２２１Ｒ，２２１Ｌに沿ってスライド移動するように構成されているが、これに限ったものではない。例えば図５（ａ）に示すように、支持板２１０Ｒ，２１０Ｌの下部位置に左右方向に長い直方体箱状のベース台３２０が配置されており、このベース台３２０の内部に、ペダル１３２，１３３，１３４を備えたペダルユニット３３０を収納可能な構成としてもよい。具体的には、ベース台３２０の演奏者側の面における左右中央部には、図５（ｂ）に示すように、ペダルユニット３３０を収納するための空間３２０ａが形成されている。一方、ペダルユニット３３０は、ベース台３２０に形成された空間３２０ａ内の天井面において前後方向（水平方向）に沿って設けられたスライドレール３２１Ｒ，３２１Ｌにより、前後方向にスライド移動可能に構成されている。このため、図５（ｃ）に示すように、ペダルユニット３３０を演奏者側へ引き出すことにより、ペダル１３２，１３３，１３４を演奏操作に適した演奏位置に位置させることができ、図５（ｄ）に示すように、ペダルユニット３３０をベース台３２０に形成された空間３２０ａ内に押し入れることにより、ペダル１３２，１３３，１３４を清掃に適した収納位置に位置させることができる。このような構成によれば、ペダル部分の美観を向上させることができる。
【００５３】
さらに、本第２実施形態の電子ピアノ２００では、ペダルユニット２３０を前後方向に沿ってスライド移動可能に構成しているが、これに限ったものではなく、例えば、ペダルユニット２３０を鉛直方向に沿ってスライド移動可能に構成することも可能である。この場合、ペダルユニット２３０を演奏位置よりも鉛直方向上方の収納位置で支持するためのストッパを設けることで、ペダルユニット２３０が自重によって収納位置から演奏位置へ戻ることを防ぐことができる。
【００５４】
以上、本発明の一実施形態について説明したが、本発明は、種々の形態を取り得ることは言うまでもない。
上記各実施形態の電子ピアノ１００，２００では、ペダルユニット１３０，２３０を移動させることによって複数のペダル１３２，１３３，１３４を演奏位置から収納位置へ一体的に移動させるようにしているが、これに限ったものではなく、ペダル単体で演奏位置から収納位置へ移動させるようにしてもよい。
【００５５】
例えば、複数のペダルをそれぞれ独立して回転移動可能に構成してもよい。具体的には、演奏者を基準とした場合に左右方向となる水平方向の回転軸を中心として、各ペダルを回転移動可能に構成するとともに、ペダルの回転移動可能範囲を演奏位置からその上方の収納位置までに制限するストッパーを設ける。このように構成すれば、各ペダルを演奏位置から収納位置へ移動させることで、ペダル周辺の清掃を容易に行うことができる。
【００５６】
また、例えば、複数のペダルをそれぞれ独立してスライド移動可能に構成してもよい。具体的には、演奏者を基準とした場合に前後方向となる水平方向に沿って、各ペダルをスライド移動可能に構成するとともに、ペダルのスライド移動可能範囲を演奏位置からその前方（演奏者から離れる側）の収納位置までに制限するストッパーを設ける。このように構成すれば、各ペダルを演奏位置から収納位置へ移動させることで、ペダル周辺の清掃を容易に行うことができる。
【００５７】
一方、上記各実施形態の電子ピアノ１００，２００では、ペダルを回転移動又はスライド移動により移動可能な構成としているが、これに限ったものではない。例えば、回転移動とスライド移動とを組み合わせた移動とすることもできる。このようにすれば、ペダル収納時の配置を比較的自由に設計することが可能となり、ペダル収納時における美感向上などを図ることができる。
【００５８】
また、上記各実施形態では、鍵盤楽器として電子ピアノを例示したが、これ以外の鍵盤楽器（例えば、足鍵盤を備えた電子オルガン等）に本発明を適用することももちろん可能である。
【図面の簡単な説明】
【００５９】
【図１】第１実施形態の電子ピアノの外観図である。
【図２】ペダルユニットの回転移動の説明図である。
【図３】第２実施形態の電子ピアノの外観図である。
【図４】ペダルユニットのスライド移動の説明図である。
【図５】第２実施形態の変形例としての電子ピアノの説明図である。
【符号の説明】
【００６０】
１００，２００…電子ピアノ、１１０Ｒ，１１０Ｌ，２１０Ｒ，２１０Ｌ…支持板、１１１Ｒ，１１１Ｌ…貫通孔、１２０…鍵盤ユニット、１２１…鍵、１３０，２３０…ペダルユニット、１３１，２３１…ペダルユニット本体、１３２…ダンパペダル、１３３…ソステヌートペダル、１３４…ソフトペダル、１４０Ｒ，１４０Ｌ…底部ストッパ、１５０…前部ストッパ、２２０Ｒ，２２０Ｌ…ベース台、２２１Ｒ，２２１Ｌ…スライドレール、２３２Ｒ，２３２Ｌ…スライド材、２４０Ｒ，２４０Ｌ…前部レールエンド、２５０Ｒ，２５０Ｌ…後部レールエンド、Ｘ…軸線
【図１】
2007047689.tif 000003
【図２】
2007047689.tif 000004
【図３】
2007047689.tif 000005
【図４】
2007047689.tif 000006
【図５】
2007047689.tif 000007